(57)【特許請求の範囲】
【請求項１】
操縦席（１）の後方に上部に開閉する蓋（２ａ）を備えた薬液タンク（２）を取り外し可能に搭載する散布作業車において、主フレーム（１５）にシート支持フレーム（３０）を立設し、該シート支持フレーム（３０）に左右の支柱（４，４）を立設し、該左右の支柱（４，４）の高さは操縦席（１）の背もたれ部の高さと同等若しくはやや低く設定すると共に、該左右の支柱（４，４）の間隔を該操縦席（１）の背もたれ部の左右巾よりも狭く設定し、かつ薬液タンク（２）の搭載時に側面視で左右の支柱（４，４）の側方全体及び後方を覆う凹部をこの薬液タンク（２）に形成し、前記左右の支柱にサンバイザー（３）を構成するにあたり、前記サンバイザー（３）のルーフ部（３ａ）を、同ルーフ部（３ａ）を取り付ける支持アーム（３ｂ）に対し回動自在に設けると共に、前記支持アーム（３ｂ）の立設角度を調整する操作部（３ｃ）を前記薬液タンク（２）よりも上位に設け、前記支持アーム（３ｂ）の立設時には前記ルーフ部（３ａ）が前記操縦席（１）の上方を覆う一方、前記支持アーム（３ｂ）の倒伏時には前記ルーフ部（３ａ）が前記薬液タンク（２）の上方を覆うよう構成したことを特徴とする散布作業車。
【発明の詳細な説明】
【０００１】
【発明の属する技術分野】
この発明は、薬液タンクを搭載する散布作業車に関し、特に該散布作業車に装着するサンバイザーの構成に関する。
【０００２】
【従来の技術】
従来、散布作業を行なう車両には、主に牽引作業を目的として、前輪よりも径の大きい後輪を備えたトラクターを利用する場合や、主に畑の畦間作業を目的として、同径の前後輪を備えた所謂乗用管理機を利用する場合が知られている。
【０００３】
そして前記トラクターでは、可倒式の安全フレームを利用してこの上部にサンバイザーを備えるものが有った。
【０００４】
【発明が解決しようとする課題】
しかしながら前記従来の散布作業車のサンバイザーは、前記安全フレームに対し着脱自在に設けたり、これを回動支持するものでも同フレームの角度を調整する操作部（安全フレームのロック機構）等が低位置に設けられている為、車体に薬液タンクを搭載するときには、安全フレームを収納できないという課題が有った。
【０００５】
一方、前記散布作業に用いる薬液タンクは、通常樹脂で成形され、長時間日光に曝されると劣化し易いという課題が有ったり、また薬液タンク内に水を充填する場合等、同タンクの蓋を長時間開放してホース等で水を充填するものであるので、この際タンク内に過剰に埃やゴミが入り、ポンプやノズルが詰って故障を起こすといった課題が有った。
【０００６】
【課題を解決するための手段】
この発明は上記課題に鑑みて、散布作業車を以下のように構成した。即ち、操縦席（１）の後方に上部に開閉する蓋（２ａ）を備えた薬液タンク（２）を取り外し可能に搭載する散布作業車において、主フレーム（１５）にシート支持フレーム（３０）を立設し、該シート支持フレーム（３０）に左右の支柱（４，４）を立設し、該左右の支柱（４，４）の高さは操縦席（１）の背もたれ部の高さと同等若しくはやや低く設定すると共に、該左右の支柱（４，４）の間隔を該操縦席（１）の背もたれ部の左右巾よりも狭く設定し、かつ薬液タンク（２）の搭載時に側面視で左右の支柱（４，４）の側方全体及び後方を覆う凹部をこの薬液タンク（２）に形成し、前記左右の支柱にサンバイザー（３）を構成するにあたり、前記サンバイザー（３）のルーフ部（３ａ）を、同ルーフ部（３ａ）を取り付ける支持アーム（３ｂ）に対し回動自在に設けると共に、前記支持アーム（３ｂ）の立設角度を調整する操作部（３ｃ）を前記薬液タンク（２）よりも上位に設け、前記支持アーム（３ｂ）の立設時には前記ルーフ部（３ａ）が前記操縦席（１）の上方を覆う一方、前記支持アーム（３ｂ）の倒伏時には前記ルーフ部（３ａ）が前記薬液タンク（２）の上方を覆うよう構成したことを特徴とする散布作業車とした。
【０００７】
（作用）以上のように構成した散布作業車のサンバイザーでは、サンバイザー（３）を使用するときには支持フレーム（３ｂ）を左右の支柱（４，４）に立設し操縦席（１）上方を覆い、サンバイザー（３）を使用しないときには支持フレーム（３ｂ）を倒伏し薬液タンク（２）の上方を覆う。
【０００８】
【発明の効果】
これにより、散布作業時には、ルーフ部（３ａ）によってオペレータの頭上を覆い陽射し、或いは雨水を遮る一方、散布作業車を長時間に使用しない場合や、薬液タンク（２）の蓋を開放し液体を充填する場合は、支持フレーム（３ｂ）を倒伏することで、薬液タンク（２）の上方を覆って前記薬液タンク（２）の劣化や、埃やゴミの進入を防ぎ、各種散布用機器の故障を防止することができる。
また、薬液タンク（２）を搭載しない場合でも、支柱（４，４）の前方は操縦席（１）の背もたれ部に覆われるので、例えばトラクターの安全フレームのように、支柱部材を左右に広く設置したり、操縦席（１）よりも高く設置する構成と比較して、草木やオペレータの衣類に引っかかり難く、運転時や乗降時の妨げにならない。また、オペレータの視界も遮らず車両の操作性を損なうことが無い。
さらに、薬液タンク(2)を搭載する場合においても、運転時や乗降時の妨げにならないため車両の操作性を損なうことがなく、特に薬液タンク（２）上部の蓋（２ａ）を開閉操作する場合やタンク（２）内の点検を行なう場合にタンク（２）側に身を乗り出しても前記支柱（４）が妨げにならないため操作性を損なわない。
【０００９】
【発明の実施の形態】
以下、この発明の実施の形態を図面に基づいて説明する。散布作業車となる乗用管理機１０は、図３に示すように、車両前部のボンネット１１下部にエンジン取付フレーム１２を設け、同フレーム１２にエンジンを搭載すると共に、このフレーム１２後部に、操縦席１やフロア１４を支持する主フレーム１５を設けている。
【００１０】
そして前記エンジン取付フレーム１２の前部には、着脱自在の平行リンク機構１５を設け、電動シリンダ１９Ａの駆動により、散布ノズル１７を備えたブーム１８や配管、更にはブーム１８を拡開させる電動シリンダ１９Ｂ等から成る散布装置６を一体的に上下する構成となっている。
【００１１】
また前記主フレーム１５の前部下方には、左右前輪２０を支持するフロントアクスルケース２１を設けると共に、主フレーム１５の後部には前記左右前輪２０と同径の後輪２２を支持するリヤアクスルケース２３を設け、これら前後輪２０，２２をステアリングハンドル２４の操作で左右操舵する構成となっている。
【００１２】
また前記主フレーム１５の中間部には、左右に張り出すサイドステップ２５を設け、同ステップ２５の前部に各種操作ペダルを設ける一方、同ステップ２５の後部には、平面視前方を開放した凹状の薬液タンク２を搭載する構成となっている。
【００１３】
また主フレーム１５の上面からは、操縦席１を支持するシート支持フレーム３０を立設し、このシート支持フレーム３０の上部に操縦席１を取り付ける構成となっている。尚、図中の符号３１は、シート支持フレーム３０を覆うカバーを示す。
【００１４】
以上のように構成した乗用管理機１０では、図４に示すように前記ブーム１８を左右に拡開し、薬液タンク２内の薬液をノズル１７…から噴射して散布作業を行なう。次に、図１乃至図２に基づき、乗用管理機１０に取り付けるサンバイザー３の構成について説明する。
【００１５】
前記操縦席１を支持するシート支持フレーム３０は、前記主フレーム１５を下辺とした側面視台形状の枠フレームとなっており、この左右後部コーナ部Ｃの上面、背面、そして一部側面を覆うプレート部材３２にて連結すると共に、このプレート部材３２の上面に、サンバイザーのユニット（以下、サンバイザーユニットＵ）の固定部材となる二本の支柱４，４を立設する構成となっている。
【００１６】
またこの支柱４は、薬液タンク２を搭載したときに同タンク２の前面に沿うよう後方へ向かって傾斜して立設し、この高さは、操縦席１の背もたれ部の高さよりも同等若しくはやや低く設定する構成となっている。尚、ここでは前記薬液タンク２の高さも操縦席１の高さと略同じ高さとなっている。また、左右支柱４，４の間隔は、前記操縦席１の背もたれ部の左右巾よりも狭く設定する構成となっている。
【００１７】
これにより、薬液タンク２を搭載しない場合でも、支柱４の前方は操縦席１の背もたれ部に覆われるので、例えばトラクターの安全フレームのように、支柱部材を左右に広く設置したり、操縦席１よりも高く設置する構成と比較して、草木やオペレータの衣類に引っかかり難く、運転時や乗降時の妨げにならない。またオペレータの視界も遮らず車両の操作性を損なうことが無い。
【００１８】
また前記支柱４は、図５に示すように、薬液タンク２を搭載するとき、側面視でこの支柱４の側方全体及び後方が前記薬液タンク２の凹部の立設面にて覆われるよう設定されている。これにより、薬液タンク２を搭載した場合でも、前述同様、運転時や乗降時の妨げにならないので車両の操作性を損なうことが無く、特に薬液タンク２上部の蓋２ａを開閉操作する場合やタンク２内の点検を行なう場合、タンク２側へ身を乗り出しても前記支柱４が妨げにならないので操作性を損なうことが無い。
【００１９】
また前記支柱４内部には、サンバイザーユニットＵ側の取付フレーム３５が所定深さ以上に入り込むことを防ぐ内部ストッパピン３６や、前記取付フレーム３５を固定する締付用のノブボルト３７を設けている。一方、前記支柱４に取り付けるサンバイザーユニットＵは、ルーフ部３ａと、同ルーフ部３ａを上部に支持する支持フレーム３ｂ、及び同フレーム３ｂの下部に設けられ同フレーム３ｂの角度を操作する操作部３ｃ等から構成されている。
【００２０】
詳細に説明すると、前記ルーフ部３ａは、樹脂製のルーフ部材４０とこれを支持する支持枠４１から構成され、この支持枠４１の前部枠にハンドキャチャー４２を取り付けると共に、この支持枠４１の左右の側部に、内方と下方に向けて折り曲げた支持フレーム取付用プレート４３を設けている。
【００２１】
そしてこの支持フレーム取付用プレート４３，４３の左右両方に、前記支持フレーム３ｂを回動自在に枢着し、そして一方（図２中左側）にだけ前記フレーム３ｂに沿わせてリンクロッド４５を取り付け、フレーム３ｂ下部に設けた操作部３ｃとの間に平行リンク機構Ｒを構成すると共に、同側にガスダンパー４６を設けている。
【００２２】
そして前記左右の支持フレーム３ｂ，３ｂの間隔は、上部を前記操縦席１の左右巾よりも広幅に設定し、下部を前記支柱４，４間と略同幅に設定する構成となっている。これによりサンバイザー３の使用時にも、操縦席１後方の視界、特に薬液タンク２側の視界を妨げることが無くなり、車両の操作性を向上することができる。
【００２３】
また前記支持フレーム３ｂの立設角度を位置決めする操作部３ｃは、図８乃至図９に示すように、前記支持フレーム下部のプレート部材４７と、前記左右取付フレーム３５，３５を連結する連結プレート４８との間に設けている。詳しくは、前記連結プレート４８の左右側面の内側に、前記リンクロッド４５の回動軸４４ａを突設すると共に、前記連結プレート４８の左右側面の外側に、前記プレート部材４７の回動軸４４ｂを突設し，支持フレーム下部のプレート部材４７が前記回動軸４４ｂを中心に前記連結プレート４８と摺動しながら回転すると、同時に前記リンクロッド４５が軸４４ａを軸に回転し、ルーフ４０を使用状態から収納状態（図８中一点鎖線）或いは収納状態から使用状態に変更する構成となっている。
【００２４】
尚図中符号５３は左右支持フレーム３ｂを連結する補強フレームを示し、符号５４は、前記サンバイザー３を収納状態としたときに、ルーフ４０がタンク２上に間隔を空けて止まるよう前記支持アーム３ｂの回転を止めるストッパーピンを示す。
【００２５】
また前記支持フレーム３ｂを回動自在に支持するプレート部材４７には、支持フレーム立設用のロック孔５２Ａと倒伏用のロック孔５２Ｂを開口して設け、前記連結プレート４８にはスプリング５５により付勢されたロックピン５０と、同ピン５０が貫通する開口穴５１を設けている。
【００２６】
これにより、サンバイザー３を使用する場合は、前記ロックピン５０を車体内側に引出し、前記開口穴５１と立設用ロック孔５２Ａとに貫通することにより、支持フレーム３ｂを立設して固定することができる。またルーフ４０を低位置に収納する場合は、前記ロックピン５０を車体内側に引出し、前記開口部５０と倒伏用ロック孔５２Ｂとに貫通することにより、支持フレーム３ｂを倒伏して固定することができる。
【００２７】
尚、この際、前記ルーフ４０は、前記平行リンク機構Ｒによって自動的に水平姿勢となるように変更され、支持フレーム３ｂの倒伏時には同ルーフ４０が薬液タンク２の上方を覆う構成となっている。そして前記操作部３ｃの連結プレート４８の下部には、前記取付フレーム３５を設け、前記パイプ状の支柱４，４に挿通し固定する構成となっている。
【００２８】
以上のように構成した乗用管理機１０のサンバイザーでは、サンバイザー３を車体に着脱するときには、ルーフ部３ａ、支持フレーム３ｂ、そして支持フレーム３ｂの操作部３ｃ、更には平行リンク機構Ｒを一体的に着脱できるので、夫々を別々に取り外す構成、特に前記操作部３ｃを分解して取り外す構成と比較して、簡単に着脱操作することができる。
【００２９】
また、サンバイザーユニットＵを取り付け、散布作業時には、支持フレーム３ｂを立設しルーフ部３ａによってオペレータの頭上を覆い、陽射し或いは雨水を遮ることでオペレータの居住性を維持する一方、乗用管理機を長時間に使用しない場合や、薬液タンク２の蓋を開放し液体を充填する場合は、支持フレーム３ｂを倒伏することで、薬液タンク２の上方を覆い陽射しによる薬液タンク２の劣化や、埃やゴミの進入を防ぎ、各種散布用機器の故障を防止することができる。
【００３０】
尚、この発明は、走行車両の別形態として、前輪よりも径の大きい後輪を有する所謂トラクターや、芝に散水する芝地用管理機を利用して設けても良い。
【図面の簡単な説明】
【図１】 車体後部の側面図。
【図２】 車体の背面図。
【図３】 乗用管理機の全体側面図。
【図４】 乗用管理機の作業状態を示す正面図。
【図５】 サンバイザーのルーフ収納状態を示す側面図。
【図６】 サンバイザーのルーフ収納状態を示す背面図。
【図７】 支柱の配置を示す平面図。
【図８】 支持フレームの角度操作部を示す側面図。
【図９】 支持フレームの角度操作部を示す背面図。
【符号の説明】
１ 操縦席
２ 薬液タンク
２ａ タンクの蓋
３ サンバイザー
３ａ ルーフ部
３ｂ 支持フレーム
３ｃ 支持フレームの角度操作部
４ 支柱
１０ 乗用管理機
【図１】
0004038609.tif 000002
【図２】
0004038609.tif 000003
【図３】
0004038609.tif 000004
【図４】
0004038609.tif 000005
【図５】
0004038609.tif 000006
【図６】
0004038609.tif 000007
【図７】
0004038609.tif 000008
【図８】
0004038609.tif 000009
【図９】
0004038609.tif 000010